(57)【要約】【課題】画像データを共用することによる利便性と、画像形成出力に要する時間の短縮とを両立させること。【解決手段】画像データに基づいて画像形成出力を実行する画像形成装置であって、画像形成出力の対象となる画像データを取得する画像データ取得部と、前記画像形成装置が画像形成出力を実行するための画像処理を、取得された前記画像データに対して実行する画像処理部と、取得された前記画像データに対して前記画像処理が実行された画像処理済みの画像データを、前記画像形成装置が備える装置側記憶部に記憶させる記憶制御部と、取得された前記画像データを、複数の画像形成装置からアクセス可能な共有記憶部に送信する送信部と、を備える。【選択図】図５
2016046766.tif 000002
【特許請求の範囲】
【請求項１】
画像データに基づいて画像形成出力を実行する画像形成装置であって、
画像形成出力の対象となる画像データを取得する画像データ取得部と、
前記画像形成装置が画像形成出力を実行するための画像処理を、取得された前記画像データに対して実行する画像処理部と、
取得された前記画像データに対して前記画像処理が実行された画像処理済みの画像データを、前記画像形成装置が備える装置側記憶部に記憶させる記憶制御部と、
取得された前記画像データを、複数の画像形成装置からアクセス可能な共有記憶部に送信する送信部と、
を備えることを特徴とする画像形成装置。
【請求項２】
前記送信部は、前記共有記憶部以外から前記画像データが取得された場合、その画像データを前記共有記憶部に送信することを特徴とする請求項１に記載の画像形成装置。
【請求項３】
前記記憶制御部は、前記装置側記憶部に記憶されていない画像データが取得された場合、その前記画像データに対して前記画像処理が実行された画像処理済みの画像データを、前記装置側記憶部に記憶させることを特徴とする請求項１又は２に記載の画像形成装置。
【請求項４】
前記記憶制御部は、取得された前記画像データを前記装置側記憶部に記憶させ、その画像データが前記共有記憶部に送信された場合、その画像データを前記装置側記憶部から削除し、送信されなかった場合、その画像データを前記装置側記憶部に記憶させたままにすることを特徴とする請求項１乃至３いずれか１項に記載の画像形成装置。
【請求項５】
前記記憶制御部は、取得された前記画像データを前記装置側記憶部に記憶させ、その画像データに対して前記画像処理が実行された場合、その画像データを前記装置側記憶部から削除することを特徴とする請求項１乃至４いずれか１項に記載の画像形成装置。
【請求項６】
画像データに基づいて画像形成出力を実行する画像形成装置におけるデータ管理方法であって、
画像形成出力の対象となる画像データを取得し、
前記画像形成装置が画像形成出力を実行するための画像処理を、取得された前記画像データに対して実行し、
取得された前記画像データに対して前記画像処理が実行された画像処理済みの画像データを、前記画像形成装置が備える装置側記憶部に記憶させ、
取得された前記画像データを、複数の画像形成装置からアクセス可能な共有記憶部に送信することを特徴とするデータ管理方法。
【請求項７】
画像データに基づいて画像形成出力を実行する画像形成装置におけるデータ管理プログラムであって、
画像形成出力の対象となる画像データを取得するステップと、
前記画像形成装置が画像形成出力を実行するための画像処理を、取得された前記画像データに対して実行するステップと、
取得された前記画像データに対して前記画像処理が実行された画像処理済みの画像データを、前記画像形成装置が備える装置側記憶部に記憶させるステップと、
取得された前記画像データを、複数の画像形成装置からアクセス可能な共有記憶部に送信するステップと、
を実行することを特徴とするデータ管理プログラム。
【発明の詳細な説明】
【技術分野】
【０００１】
本発明は、画像形成装置、データ管理方法、データ管理プログラムに関する。
【背景技術】
【０００２】
近年、書類の電子化に用いられる画像処理装置や電子化された情報の出力に用いられる画像形成装置は欠かせない機器となっている。このような画像処理装置及び画像系形成装置は、撮像機能、画像形成機能及び通信機能等を備えることにより、プリンタ、ファクシミリ、スキャナ、複写機として利用可能な複合機として構成されることが多い。
【０００３】
このような複合機は、原稿を読み取ることで画像データを生成し、若しくは、外部から画像データを取得した場合、その画像データを自身が備える記憶装置に記憶させるようになっている。そして、複合機は、画像形成出力の対象となる画像データが指定されると、その画像データを上記記憶装置から読み出して画像処理を施した後、その画像処理済みの画像データに基づいて画像形成出力を実行するようになっている。
【０００４】
このとき、利用者は、複合機が生成し若しくは取得した画像データをその複合機以外の他の複合機で使用したい場合、その画像データを他の複合機に移動させる必要がある。そのため、このような複合機は、利用者にとって利便性が悪いといった問題がある。そこで、複合機が生成し若しくは取得した画像データを、ネットワークを介して接続された共有サーバに記憶させることにより、複数の複合機で共有する技術が提案され既に知られている（例えば、特許文献１、２を参照）。
【発明の概要】
【発明が解決しようとする課題】
【０００５】
ところが、このような従来の技術において複合機に画像形成出力を実行させる場合、その複合機は、共有サーバから画像形成出力の対象となる画像データを取得してから画像処理を実行するため、画像形成出力に要する時間がその分だけ長くなることになる。
【０００６】
そこで、複合機が生成し若しくは取得した画像データを、画像処理を施してから上記共有サーバに記憶させるといった技術が考えられる。ところが、このような技術では、画像データに画像処理を施した複合機と、その画像データを使用する他の複合機との機種が異なる場合、機種毎に画像処理の態様が異なるため、上記他の複合機においてその画像データを使用することができない。
【０００７】
本発明は、このような課題を解決するためになされたものであり、画像データを共用することによる利便性と、画像形成出力に要する時間の短縮とを両立させることを目的とする。
【課題を解決するための手段】
【０００８】
上記課題を解決するために、本発明の一態様は、画像データに基づいて画像形成出力を実行する画像形成装置であって、画像形成出力の対象となる画像データを取得する画像データ取得部と、前記画像形成装置が画像形成出力を実行するための画像処理を、取得された前記画像データに対して実行する画像処理部と、取得された前記画像データに対して前記画像処理が実行された画像処理済みの画像データを、前記画像形成装置が備える装置側記憶部に記憶させる記憶制御部と、取得された前記画像データを、複数の画像形成装置からアクセス可能な共有記憶部に送信する送信部と、を備えることを特徴とする。
【発明の効果】
【０００９】
本発明によれば、画像データを共用することによる利便性と、画像形成出力に要する時間の短縮とを両立させることができる。
【図面の簡単な説明】
【００１０】
【図１】本発明の実施形態に係る画像形成システムの運用形態を示す図である。
【図２】本発明の実施形態に係る画像形成装置のハードウェア構成を模式的に示すブロック図である。
【図３】本発明の実施形態に係る画像形成装置の機能構成を模式的に示すブロック図である。
【図４】本発明の実施形態に係る画像データ情報記憶部が記憶する画像データ情報の一例を示す図である。
【図５】本発明の実施形態に係る画像形成装置が画像データ記憶部に画像データを記憶させる際の処理を説明するためのシーケンス図である。
【図６】本発明の実施形態に係る画像形成装置が画像データの一覧を表示する際の処理を説明するためのシーケンス図である。
【図７】本発明の実施形態に係る画像形成装置が画像データ記憶部に記憶されている画像データに基づいて画像形成出力を実行する際の処理を説明するためのシーケンス図である。
【図８】本発明の実施形態に係る画像形成装置がファイル管理サーバに記憶されている画像データに基づいて画像形成出力を実行する際の処理を説明するためのシーケンス図である。
【図９】本発明の実施形態に係る画像形成装置が画像データ記憶部に記憶されている画像データに基づいて画像形成出力を実行する際の処理を説明するためのシーケンス図である。
【発明を実施するための形態】
【００１１】
以下、図面を参照して、本発明の実施形態を詳細に説明する。本実施形態においては、画像データを記憶し、複数の画像形成装置から利用することが可能なファイル管理サーバと、そのファイル管理サーバから取得した画像データ、若しくは、自身が備える記憶装置から読み出した画像データに基づいて画像形成出力を実行する画像形成装置とにより構成される画像形成システムを例として説明する。
【００１２】
このような画像形成システムにおいて、本実施形態に係る画像形成装置は、スキャナにより原稿を読み取ることで画像データを生成し、若しくは、外部から画像データが入力された場合、その画像データを自身が備える記憶装置に記憶させると共に、ファイル管理サーバに送信して記憶させる。そして、本実施形態に係る画像形成装置は、画像形成出力の対象となる画像データが指定されると、その画像データを上記記憶装置から読み出し、若しくは、ファイル管理サーバから取得して画像処理を施した後、その画像処理済みの画像データに基づいて画像形成出力を実行する。
【００１３】
このような画像形成装置において、本実施形態に係る要旨の一つは、画像データを自身が備える記憶装置に記憶させる場合には、その画像データに画像処理を施してから記憶させ、一方、ファイル管理サーバに記憶させる場合には、そのまま記憶させることにある。
【００１４】
そのため、画像形成装置は、自身が備える記憶装置に記憶されている画像データに基づいて画像形成出力を実行する場合、画像処理を実行する必要がないため、その分だけ、画像形成出力に要する時間を短縮することが可能となる。
【００１５】
また、画像形成装置は、ファイル管理サーバに記憶されている画像データに基づいて画像形成出力を実行する場合、その画像データに画像処理を施さなければならないため、画像形成出力に要する時間を短縮することはできない。但し、このとき、画像形成装置は、機種毎に画像処理の態様が異なることにより、その画像データに基づく画像形成出力を実行することができないといったことを回避することが可能となる。
【００１６】
従って、本実施形態に係る画像形成装置１は、画像データを共用することによる利便性と、画像形成出力に要する時間の短縮とを両立させることが可能となる。
【００１７】
まず、本実施形態に係る画像形成システムの運用形態について、図１を参照して説明する。図１は、本実施形態に係る画像形成システムの運用形態の例を示す図である。図１に示すように、本実施形態に係る画像形成システムは、画像形成装置１ａ、１ｂ、１ｃが接続されたネットワーク３と、ファイル管理サーバ２が接続されたネットワーク４とが、インターネットや電話回線等の公衆回線５を介して接続されて構成されている。尚、以下では、画像形成装置１ａ、１ｂ、１ｃをそれぞれ区別する必要がない場合には、それらを総称して画像形成装置１とする。
【００１８】
また、ネットワーク３に接続されている画像形成装置１の数は一例であり、これらがもっと多く接続された大規模なシステムであっても良い。また、それぞれ異なる画像形成装置１が接続された複数のネットワークが公衆回線５を介してファイル管理サーバ２と接続される構成としても良いし、画像形成装置１、ファイル管理サーバ２が同一のネットワーク上に接続されて構成されていても良い。
【００１９】
また、図１におけるネットワーク３、４は、例えば、オフィスＬＡＮ（Ｌｏｃａｌ  Ａｒｅａ  Ｎｅｔｗｏｒｋ）等の限定されたネットワークであり、画像形成装置１、ファイル管理サーバ２は、夫々のＬＡＮを介して公衆回線５に接続されるが、公衆回線５に直接接続される態様とすることも可能である。
【００２０】
画像形成装置１は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）である。
【００２１】
また、画像形成装置１は、スキャナにより原稿を読み取ることで画像データを生成し、若しくは、外部から画像データが入力された場合、その画像データを自身が備える記憶装置に記憶させると共に、ファイル管理サーバ２に送信して記憶させる。そして、画像形成装置１は、画像形成出力の対象となる画像データが指定されると、その画像データを上記記憶装置から読み出し、若しくは、ファイル管理サーバ２から取得して画像処理を施した後、その画像処理済みの画像データに基づいて画像形成出力を実行する。
【００２２】
このとき、画像形成装置１は、自身が備える記憶装置に画像データを記憶させる場合には、その画像データに画像処理を施してから記憶させ、一方、ファイル管理サーバ２に記憶させる場合には、そのまま記憶させるように構成されている。本実施形態においては、画像形成装置１におけるこのよう構成を要旨の一つとしている。
【００２３】
そのため、画像形成装置１は、自身が備える記憶装置に記憶されている画像データに基づいて画像形成出力を実行する場合、画像処理を実行する必要がないため、その分だけ、画像形成出力に要する時間を短縮することが可能となる。このような理由により、本実施形態に係る画像形成装置１は、自身が備える記憶装置に画像データを記憶させる場合には、その画像データに画像処理を施してから記憶させるように構成されている。
【００２４】
一方、画像形成装置１は、ファイル管理サーバ２に記憶されている画像データに基づいて画像形成出力を実行する場合、その画像データに画像処理を施さなければならないため、画像形成出力に要する時間を短縮することはできない。但し、このとき、画像形成装置１は、機種毎に画像処理の態様が異なることにより、その画像データに基づく画像形成出力を実行することができないといったことを回避することが可能となる。
【００２５】
これは、ファイル管理サーバ２に画像データを記憶させた画像形成装置１と、その画像データに基づく画像形成出力を実行しようとする他の画像形成装置１との機種が異なる場合を想定してのことである。このような理由により、本実施形態に係る画像形成装置１は、ファイル管理サーバ２に画像データを記憶させる場合には、そのまま記憶させるように構成されている。
【００２６】
従って、本実施形態に係る画像形成装置１は、画像データを共用することによる利便性と、画像形成出力に要する時間の短縮とを両立させることが可能となる。
【００２７】
ファイル管理サーバ２は、複数の画像形成装置１からアクセス可能な共有サーバであり、画像形成装置１ａ、１ｂ、１ｃから送信されてきた画像データを記憶する。即ち、本実施形態においては、ファイル管理サーバ２が共有記憶部として機能する。また、ファイル管理サーバ２は、画像形成装置１から画像データを取得するための取得要求を受け取ると、その取得要求により指定された画像データを、その取得要求の送信元である画像形成装置１に送信する。
【００２８】
次に、本実施形態に係る画像形成装置１及びファイル管理サーバ２のハードウェア構成について図２を参照して説明する。図２は、本実施形態に係る画像形成装置１のハードウェア構成を模式的に示すブロック図である。尚、図２においては、画像形成装置１のハードウェア構成を例として説明するが、ファイル管理サーバ２についても同様である。
【００２９】
図２に示すように、本実施形態に係る画像形成装置１は、一般的なサーバやＰＣ（Ｐｅｒｓｏｎａｌ  Ｃｏｍｐｕｔｅｒ）等と同様の構成を含む。即ち、本実施形態に係る画像形成装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス９０を介して接続されている。また、Ｉ／Ｆ５０には表示部６０、操作部７０及び専用デバイス８０が接続されている。
【００３０】
ＣＰＵ１０は演算手段であり、画像形成装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）やデータ管理プログラム等の各種の制御プログラム、アプリケーション・プログラム等が格納される。
【００３１】
Ｉ／Ｆ５０は、バス９０と各種のハードウェアやネットワーク等を接続し制御する。表示部６０は、ユーザが画像形成装置１の状態を確認するための視覚的ユーザインタフェースであり、ＬＣＤ（Ｌｉｑｕｉｄ  Ｃｒｙｓｔａｌ  Ｄｉｓｐｌａｙ）等の表示装置によって実現される。操作部７０は、キーボードやマウス等、ユーザが画像形成装置１に情報を入力するためのユーザインタフェースである。
【００３２】
専用デバイス８０は、画像形成装置１において専用の機能を実現するためのハードウェア、即ち、プリンタ、スキャナ、ファクシミリにおいて専用の機能を実現するためのハードウェアである。尚、図１において説明したように、本実施形態に係るファイル管理サーバ２は、共有サーバとして運用されるため、表示部６０、操作部７０等のユーザインタフェース、専用デバイス８０については省略可能である。
【００３３】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０がＲＡＭ２０にロードされたプログラムに従って演算を行うことにより、ソフトウェア制御部が構成される。このようにして構成されたソフトウェア制御部と、ハードウェアとの組み合わせによって、本実施形態に係る画像形成装置１の機能を実現する機能ブロックが構成される。
【００３４】
次に、本実施形態に係る画像形成装置１の機能構成について、図３を参照して説明する。図３は、本実施形態に係る画像形成装置１の機能構成を模式的に示すブロック図である。尚、図３においては、電気的接続を実線の矢印で示しており、用紙若しくは文書束の流れを破線の矢印で示している。
【００３５】
図３に示すように、本実施形態に係る画像形成装置１は、コントローラ１００、給紙テーブル１１０、プリントエンジン１２０、プリント用排紙トレイ１３０、原稿台１４０、ＡＤＦ（Ａｕｔｏ  Ｄｏｃｕｍｅｎｎｔ  Ｆｅｅｄｅｒ：原稿自動搬送装置）１５０、スキャナエンジン１６０、原稿用排紙トレイ１７０、ディスプレイパネル１８０、ネットワークＩ／Ｆ１９０を有する。また、コントローラ１００は、主制御部１０１、エンジン制御部１０２、画像処理部１０３、画像データ記憶部１０４、画像データ情報記憶部１０５、操作表示制御部１０６及び入出力制御部１０７を有する。
【００３６】
給紙テーブル１１０は、画像形成部であるプリントエンジン１２０に用紙を給紙する。プリントエンジン１２０は、給紙テーブル１１０から搬送されてきた用紙に対して画像形成出力を実行することにより画像を形成する画像形成部である。本実施形態に係るプリントエンジン１２０の具体的態様としては、電子写真方式若しくはインクジェット方式による画像形成機構である。このプリントエンジン１２０により画像が形成された画像形成済みの用紙は、プリント用排紙トレイ１３０に排紙される。プリントエンジン１２０は、図２に示す専用デバイス８０によって実現される。
【００３７】
ＡＤＦ１５０は、原稿台１４０にセットされた原稿をスキャナエンジン１６０に自動搬送する。スキャナエンジン１６０は、光学情報を電気信号に変換する光電変換素子を含む原稿読取部であり、ＡＤＦ１５０により自動搬送されてきた原稿、若しくは、原稿台ガラスにセットされた原稿を光学的に走査して読み取って画像データを生成し画像処理部１０３に入力する。このスキャナエンジン１６０により読み取られた原稿は、原稿用排紙トレイ１７０に排紙される。ＡＤＦ１５０及びスキャナエンジン１６０は、図２に示す専用デバイス８０によって実現される。
【００３８】
ディスプレイパネル１８０は、画像形成装置１の状態を視覚的に表示する出力インタフェースであると共に、タッチパネルとしてユーザが画像形成装置１を直接操作し若しくは画像形成装置１に対して情報を入力する際の入力インタフェースでもある。即ち、ディスプレイパネル１８０は、ユーザによる操作を受けるための画像を表示する機能を含む。ディスプレイパネル１８０は、図２に示す表示部６０及び操作部７０によって実現される。
【００３９】
ネットワークＩ／Ｆ１９０は、画像形成装置１がネットワークを介して管理者用端末やＰＣ等の他の機器と通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェース、Ｂｌｕｅｔｏｏｔｈ（登録商標）、Ｗｉ−Ｆｉ（Ｗｉｒｅｌｅｓｓ  Ｆｉｄｅｌｉｔｙ）（登録商標）、ＦｅｌｉＣａ（登録商標）等のインタフェースが用いられる。このように、本実施形態に係る画像形成装置１は、ネットワークＩ／Ｆ１９０を介して接続された端末から印刷依頼の画像データや、印刷要求等の各種制御コマンドを受信する。ネットワークＩ／Ｆ１９０は、図２に示すＩ／Ｆ５０によって実現される。
【００４０】
コントローラ１００は、ソフトウェアとハードウェアとの組み合わせによって構成される。具体的には、ＲＯＭ３０やＨＤＤ４０等の不揮発性記憶媒体に格納されたファームウェア等の制御プログラムが、ＲＡＭ２０にロードされ、それらのプログラムに従ってＣＰＵ１０が演算を行うことにより構成されるソフトウェア制御部と集積回路などのハードウェアとによってコントローラ１００が構成される。コントローラ１００は、画像形成装置１全体を制御する制御部として機能する。
【００４１】
主制御部１０１は、コントローラ１００に含まれる各部を制御する役割を担い、コントローラ１００の各部に命令を与える。また、主制御部１０１は、入出力制御部１０７を制御し、ネットワークＩ／Ｆ１９０及びネットワークを介して他の装置にアクセスする。エンジン制御部１０２は、給紙テーブル１１０、プリントエンジン１２０、プリント用排紙トレイ１３０、原稿台１４０、ＡＤＦ１５０、スキャナエンジン１６０、原稿用排紙トレイ１７０等の駆動部を制御し若しくは駆動させる。
【００４２】
画像処理部１０３は、色補正や中間調処理、ＲＧＢからＹＭＣＫ（Ｙｅｌｌｏｗ  Ｍａｇｅｎｔａ  Ｃｙａｎ  Ｂｌａｃｋ）への変換処理等、エンジン制御部１０２がプリントエンジン１２０に画像形成出力を実行させるために必要な画像処理を画像データに施す。
【００４３】
画像データ記憶部１０４は、スキャナにより原稿を読み取ることで生成した画像データ、外部から入力された画像データを記憶する。画像データ記憶部１０４は、図２に示すＨＤＤ４０等の不揮発性の記憶媒体により実現される。即ち、本実施形態においては、画像データ記憶部１０４が装置側記憶部として機能する。
【００４４】
画像データ情報記憶部１０５は、画像データ記憶部１０４に記憶されている各画像データに関する情報（以下、「画像データ情報」とする）を記憶する。画像データ情報記憶部１０５は、図２に示すＨＤＤ４０等の不揮発性の記憶媒体により実現される。ここで、本実施形態に係る画像データ情報記憶部１０５が記憶する画像データ情報について、図４を参照して説明する。図４は、本実施形態に係る画像データ情報記憶部１０５が記憶する画像データ情報の一例を示す図である。
【００４５】
図４に示すように、本実施形態に係る画像データ情報記憶部１０５は、画像データ情報として、「画像ＩＤ」、「記憶年月日時」、「出力年月日時」、「サイズ」、「画像処理」、「元画像データ」、「サーバ送信」、「用途」等の情報を記憶する。
【００４６】
「画像ＩＤ」は、画像データを識別するための識別情報としてのＩＤである。「記憶年月日時」は、画像データが画像データ記憶部１０４に記憶された年月日及び日時である。「出力年月日時」は、その画像データに基づく画像形成出力が実行された直近の年月日及び日時である。「サイズ」は、画像データのデータ量である。
【００４７】
「画像処理」は、その画像データを元にした画像処理済みの画像データが画像データ記憶部１０４に記憶されているか否かの情報である。「元画像データ」は、画像データに対して画像処理が実行された場合のその画像データ（以下、「元画像データ」とする）が画像データ記憶部１０４に記憶されているか否かの情報である。
【００４８】
「サーバ送信」は、画像データをファイル管理サーバ２に送信する必要があるか否かを画像形成装置１が判断するための情報であって、「必要」、「不要」、「送信済み」がある。「必要」は、その画像データをファイル管理サーバ２に送信する必要があることを示している。「不要」は、その画像データをファイル管理サーバ２に送信する必要がないことを示している。「送信済み」は、その画像データをファイル管理サーバ２に既に送信済みであることを示している。
【００４９】
尚、この「サーバ送信」は、画像形成装置１が画像データをファイル管理サーバ２へ送信を一度試みたが失敗した場合に、その画像データについて送信する必要があるか否かを再度判断する場合も含む。即ち、「サーバ送信」は、このように画像形成装置１が一度送信を試みたが失敗した場合であっても、送信する必要があることを示す「必要」のままとなる。
【００５０】
「用途」は、画像データ記憶部１０４に記憶された画像データの用途であって、「自機専用」と「汎用」とがある。「自機専用」は、その画像データが自機でのみ使用されること、即ち、他の機器で使用されないことを示している。また、「汎用」は、その画像データが自機以外の他の機器でも使用されることを示している。
【００５１】
そのため、「自機専用」の画像データを元にした画像処理済みの画像データが画像データ記憶部１０４に記憶されると、その元画像データは、不要と判断されて、画像データ記憶部１０４から削除される。一方、「汎用」の画像データを元にした画像処理済みの画像データが画像データ記憶部１０４に記憶されても、その元画像データは、他の機器でも使用されると判断されて画像データ記憶部１０４から削除されない。
【００５２】
操作表示制御部１０６は、ディスプレイパネル１８０に情報表示を行い若しくはディスプレイパネル１８０を介して入力された情報を主制御部１０１に通知する。入出力制御部１０７は、ネットワークＩ／Ｆ１９０及びネットワークを介して入力される信号や命令を主制御部１０１に入力する。また、入出力制御部１０７は、主制御部１０１の制御により、ネットワークＩ／Ｆ１９０及びネットワークを介して他の装置へデータを送信する。即ち、本実施形態においては、入出力制御部１０７が送信部として機能する。
【００５３】
このように構成された画像形成装置１において、本実施形態に係る要旨の一つは、画像データ記憶部１０４に画像データを記憶させる場合には、その画像データに画像処理を施してから記憶させ、一方、ファイル管理サーバ２に記憶させる場合には、そのまま記憶させることにある。
【００５４】
そのため、画像形成装置１は、画像データ記憶部１０４に記憶されている画像データに基づいて画像形成出力を実行する場合、画像処理を実行する必要がないため、その分だけ、画像形成出力に要する時間を短縮することが可能となる。
【００５５】
一方、画像形成装置１は、ファイル管理サーバ２に記憶されている画像データに基づいて画像形成出力を実行する場合、その画像データに画像処理を施さなければならないため、画像形成出力に要する時間を短縮することはできない。但し、このとき、画像形成装置１は、機種毎に画像処理の態様が異なることにより、その画像データに基づく画像形成出力を実行することができないといったことを回避することが可能となる。
【００５６】
従って、本実施形態に係る画像形成装置１は、画像データを共用することによる利便性と、画像形成出力に要する時間の短縮とを両立させることが可能となる。
【００５７】
次に、本実施形態に係る画像形成装置１が画像データ記憶部１０４に画像データを記憶させる際の処理について、図５を参照して説明する。図５は、本実施形態に係る画像形成装置１が画像データ記憶部１０４に画像データを記憶させる際の処理を説明するためのシーケンス図である。
【００５８】
図５に示すように、本実施形態に係る画像形成装置１が画像データ記憶部１０４に画像データを記憶させる際にはまず、操作表示制御部１０６は、ディスプレイパネル１８０を介して、画像データを記憶させるためのユーザ操作を受け付ける（Ｓ５０１）。
【００５９】
操作表示制御部１０６は、ユーザ操作を受け付けると、主制御部１０１に対して、画像データ記憶部１０４に画像データを記憶させるための記憶要求を行う（Ｓ５０２）。主制御部１０１は、記憶要求を受けると、エンジン制御部１０２若しくは入出力制御部に対して、画像データを取得するための取得要求を行う（Ｓ５０３）。
【００６０】
エンジン制御部１０２は、取得要求を受けると、スキャナにより原稿を読み取ることで生成された画像データを主制御部１０１に転送する（Ｓ５０４）。また、入出力制御部１０７は、主制御部１０１から取得要求を受けると、ネットワークＩ／Ｆ１９０を介して入力された画像データを主制御部１０１に転送する（Ｓ５０５）。
【００６１】
主制御部１０１は、転送されてきた画像データを取得すると、その画像データを画像データ記憶部１０４に記憶させる（Ｓ５０６）。即ち、本実施形態においては、主制御部１０１が画像データ取得部、記憶制御部として機能する。主制御部１０１は、画像データを記憶させると、その画像データに関する画像データ情報を新規に作成して、画像データ情報記憶部１０５に記憶させる（Ｓ５０７）。
【００６２】
主制御部１０１は、画像データ情報を記憶させると、画像データ情報記憶部１０５に記憶されているその画像データ情報の「サーバ送信」欄を確認して、ファイル管理サーバ２に画像データを送信する必要があるか否かを判断する（Ｓ５０８）。
【００６３】
主制御部１０１は、画像データを送信する必要があると判断した場合には、入出力制御部１０７に対して、その画像データをファイル管理サーバ２に送信してもらうための送信依頼を行う（Ｓ５０９）。一方、主制御部１０１は、画像データを送信する必要がないと判断した場合には、Ｓ５１４以降の処理を行う。
【００６４】
入出力制御部１０７は、画像データの送信依頼を受けると、その画像データを画像データ記憶部１０４から読み出して（Ｓ５１０）、ネットワークＩ／Ｆ１９０を介してファイル管理サーバ２に送信する（Ｓ５１１）。尚、このとき、画像形成装置１は、その画像データがファイル管理サーバ２から取得した画像データであれば、ファイル管理サーバ２への送信は不要である。
【００６５】
入出力制御部１０７は、画像データを送信すると、送信が成功したか否かの送信結果を主制御部１０１に通知する（Ｓ５１２）。主制御部１０１は、画像データの送信結果を通知されると、その送信結果に基づいて、画像データ情報記憶部１０５に記憶されているその画像データの画像データ情報を更新する（Ｓ５１３）。
【００６６】
このとき、主制御部１０１は、通知された送信結果が、送信が失敗したことを示す場合、画像データ情報の「サーバ送信」欄を「必要」のままにしておく。一方、このとき、主制御部１０１は、通知された送信結果が、送信が成功したことを示す場合、画像データ情報の「サーバ送信」欄を「必要」から「送信済み」に更新する。
【００６７】
主制御部１０１は、画像データ情報を更新すると、画像処理部１０３に対して、画像データに画像処理を施してもらうための画像処理依頼を行う（Ｓ５１４）。画像処理部１０３は、画像処理依頼を受けると、画像処理の対象となる画像データを画像データ記憶部１０４から読み出して（Ｓ５１５）、画像処理を施す（Ｓ５１６）。
【００６８】
画像処理部１０３は、画像データに画像処理を施すと、画像処理が施された画像処理済みの画像データを画像データ記憶部１０４に記憶させ（Ｓ５１７）、画像処理が完了したことを主制御部１０１に通知する（Ｓ５１８）。
【００６９】
主制御部１０１は、画像データに対する画像処理が完了したことの通知を受けると、画像データ情報記憶部１０５に記憶されているその画像データに関する画像データ情報の「用途」欄を確認して、その画像データを削除するか否かを判断する（Ｓ５１９）。
【００７０】
主制御部１０１は、「用途」欄が「自機専用」である場合には、その画像データを削除すると判断して、画像データ記憶部１０４からその画像データ（元画像データ）を削除する（Ｓ５２０）。主制御部１０１は、元画像データを削除すると、画像データ情報記憶部１０５に記憶されているその画像データに関する画像データ情報を更新する（Ｓ５２１）。このとき、主制御部１０１は、画像データ情報の「画像処理」欄を「無」から「有」に、「元画像データ」欄を「有」から「無」に更新する。
【００７１】
このように、本実施形態に係る画像形成装置１は、「用途」欄が「自機専用」である場合には、元画像データを削除するため、画像データ記憶部１０４の記憶データ量を低減させることが可能となり、画像データ記憶部１０４を効率的に使用することが可能となる。
【００７２】
尚、このとき、主制御部１０１は、「用途」欄が「自機専用」の元画像データであっても、「サーバ送信」欄が「必要」の元画像データについては削除しない。即ち、本実施形態に係る画像形成装置１は、「用途」欄が「自機専用」の元画像データであっても、ファイル管理サーバ２に未送信の元画像データであれば画像処理実行前の状態を保つように構成されている。なぜならば、「サーバ送信」欄が「必要」である元画像データは、Ｓ５１１において送信が失敗したこと等により、今後、ファイル管理サーバ２に送信されるためである。
【００７３】
従って、本実施形態に係る画像形成装置１は、ファイル管理サーバ２に未送信の画像データであれば、「用途」欄が「自機専用」の元画像データであっても、今後、ファイル管理サーバ２に送信することが可能な状態を保つことが可能となる。
【００７４】
一方、主制御部１０１は、「用途」欄が「汎用」である場合には、画像データを削除しないと判断して、画像データ記憶部１０４からその画像データ（元画像データ）を削除せずに、Ｓ５２１の処理を行う。このとき、主制御部１０１は、画像データ情報の「画像処理」欄を「無」から「有」に更新し、「元画像データ」欄を「有」のままにしておく。
【００７５】
このように、本実施形態に画像形成装置１は、「用途」欄が「汎用」である場合には、元画像データを削除しないで記憶させたままにしておくため、その元画像データを他の機器でも使用することが可能となる。
【００７６】
本実施形態に係る画像形成装置１は、図５に示したような処理により、画像データを記憶させるようになっている。
【００７７】
即ち、本実施形態に係る画像形成装置１は、画像データ記憶部１０４に画像データを記憶させる場合には、その画像データに画像処理を施してから記憶させ、一方、ファイル管理サーバ２に記憶させる場合には、そのまま記憶させるようになっている。
【００７８】
そのため、画像形成装置１は、画像データ記憶部１０４に記憶されている画像データに基づいて画像形成出力を実行する場合、画像処理を実行する必要がないため、その分だけ、画像形成出力に要する時間を短縮することが可能となる。
【００７９】
一方、本実施形態に係る画像形成装置１は、ファイル管理サーバ２に記憶されている画像データに基づいて画像形成出力を実行する場合、その画像データに画像処理を施さなければならないため、画像形成出力に要する時間を短縮することはできない。但し、このとき、本実施形態に係る画像形成装置１は、機種毎に画像処理の態様が異なることにより、その画像データに基づく画像形成出力を実行することができないといったことを回避することが可能となる。
【００８０】
従って、本実施形態に係る画像形成装置１は、画像データを共用することによる利便性と、画像形成出力に要する時間の短縮とを両立させることが可能となる。
【００８１】
次に、本実施形態に係る画像形成装置１が画像データの一覧を表示する際の処理について、図６を参照して説明する。図６は、本実施形態に係る画像形成装置１が画像データの一覧を表示する際の処理を説明するためのシーケンス図である。
【００８２】
本実施形態に係る画像形成装置１が画像データの一覧を表示する際にはまず、操作表示制御部１０６は、ディスプレイパネル１８０を介して、画像データの一覧を表示させるためのユーザ操作を受け付ける（Ｓ６０１）。
【００８３】
操作表示制御部１０６は、ユーザ操作を受け付けると、主制御部１０１に対して、画像データの一覧を取得するための取得要求を行う（Ｓ６０２）。主制御部１０１は、記憶要求を受けると、画像データ記憶部１０４に記憶されている画像データの一覧を確認すると共に（Ｓ６０３）、入出力制御部１０７に対して、ファイル管理サーバ２に記憶されている画像データの一覧を取得してもらうための取得依頼を行う（Ｓ６０４）。尚、主制御部１０１は、Ｓ６０３において、画像データ情報記憶部１０５に記憶されている画像データ情報の一覧を確認するようにしても良い。
【００８４】
入出力制御部１０７は、取得依頼を受けると、ネットワークＩ／Ｆ１９０を介してファイル管理サーバ２から画像データの一覧を取得し（Ｓ６０５）、主制御部１０１に転送する（Ｓ６０６）。
【００８５】
主制御部１０１は、Ｓ６０３において確認した画像データの一覧と、転送されてきた画像データの一覧とに基づき、それらの一覧を表示するための表示情報を生成して（Ｓ６０７）、操作表示制御部１０６に通知する（Ｓ６０８）。操作表示制御部１０６は、通知された表示情報に従って、ディスプレイパネル１８０に画像データの一覧を表示する（Ｓ６０９）。
【００８６】
本実施形態に係る画像形成装置１は、図６に示したような処理により、画像データの一覧を表示するようになっている。
【００８７】
即ち、本実施形態に係る画像形成装置１は、画像データ記憶部１０４に記憶されている画像データの一覧と、ファイル管理サーバ２に記憶されている画像データの一覧とを区別なく表示するようになっている。従って、本実施形態に係る画像形成装置１によれば、ユーザは、画像データ記憶部１０４に記憶されている画像データと、ファイル管理サーバ２に記憶されている画像データとの区別を意識することなく画像データの一覧を確認し若しくは選択することが可能となる。
【００８８】
次に、本実施形態に係る画像形成装置１が画像データ記憶部１０４に記憶されている画像データに基づいて画像形成出力を実行する際の処理について、図７を参照して説明する。図７は、本実施形態に係る画像形成装置１が画像データ記憶部１０４に記憶されている画像データに基づいて画像形成出力を実行する際の処理を説明するためのシーケンス図である。尚、図７においては、画像処理が実行された画像処理済みの画像データに基づいて画像形成出力を実行する場合を例にして説明する。
【００８９】
図７に示すように、本実施形態に係る画像形成装置１が画像データ記憶部１０４に記憶されている画像データに基づいて画像形成出力を実行する際にはまず、操作表示制御部１０６は、ディスプレイパネル１８０を介して、印刷するためのユーザ操作を受け付ける（Ｓ７０１）。このとき、ユーザは、図６の処理により表示された画像データの一覧から、画像形成出力の対象となる画像データを指定する。
【００９０】
操作表示制御部１０６は、ユーザ操作を受け付けると、主制御部１０１に対して、印刷を要求するための印刷要求を行う（Ｓ７０２）。主制御部１０１は、印刷要求を受けると、画像データ情報記憶部１０５に記憶されている画像データ情報の「画像処理」欄を確認して、画像形成出力の対象となる画像データに対して画像処理済が実行された画像処理済みの画像データが画像データ記憶部１０４に記憶されているか否かを判断する（Ｓ７０３）。
【００９１】
主制御部１０１は、画像処理済みの画像データ記憶されている判断した場合には、エンジン制御部１０２に対して、画像形成出力を実行させるための出力要求を行う（Ｓ７０４）。エンジン制御部１０２は、出力要求を受けると、画像形成出力の対象となる画像データを画像データ記憶部１０４から読み出して（Ｓ７０５）、読み出した画像データに基づいて画像形成出力を実行する（Ｓ７０６）。
【００９２】
このとき読み出された画像データは、既に画像処理が実行された画像処理済みの画像データである。従って、本実施形態に係る画像形成装置１は、画像データ記憶部１０４に記憶されている画像データに基づいて画像形成出力を実行する場合、画像処理を実行する必要がないため、その分だけ、画像形成出力に要する時間を短縮することが可能となる。
【００９３】
エンジン制御部１０２は、画像形成出力が完了すると、その画像形成出力が実行された年月日及び日時等の出力結果を主制御部１０１に通知する（Ｓ７０７）。主制御部１０１は、出力結果を通知されると、その出力結果に基づいて、画像データ情報記憶部１０５に記憶されている画像形成出力の対象となった画像データの画像データ情報を更新する（Ｓ７０８）。このとき、主制御部１０１は、画像データ情報の「出力年月日時」欄を更新する。
【００９４】
本実施形態に係る画像形成装置１は、図７に示したような処理により、画像データ記憶部１０４に記憶されている画像処理済みの画像データに基づいて画像形成出力を実行する。
【００９５】
即ち、本実施形態に係る画像形成装置１は、画像データ記憶部１０４に記憶されている画像データに基づいて画像形成出力を実行する場合、その画像データが画像処理済みの画像データであれば、画像処理を実行する必要がない。そのため、本実施形態に係る画像形成装置１は、この場合、その分だけ、画像形成出力に要する時間を短縮することが可能となる。
【００９６】
次に、本実施形態に係る画像形成装置１がファイル管理サーバ２に記憶されている画像データに基づいて画像形成出力を実行する際の処理について、図８を参照して説明する。図８は、本実施形態に係る画像形成装置１がファイル管理サーバ２に記憶されている画像データに基づいて画像形成出力を実行する際の処理を説明するためのシーケンス図である。
【００９７】
図８に示すように、本実施形態に係る画像形成装置１は、ファイル管理サーバ２に記憶されている画像データに基づいて画像形成出力を実行する際にはまず、Ｓ７０１、Ｓ７０２と同様の処理を行う（Ｓ８０１、Ｓ８０２）。そして、主制御部１０１は、印刷要求を受けると、入出力制御部１０７に対して、ファイル管理サーバ２から画像データを取得してもらうための取得依頼を行う（Ｓ８０３）。
【００９８】
入出力制御部１０７は、取得依頼を受けると、ファイル管理サーバ２から画像形成出力の対象となる画像データを取得して（Ｓ８０４）、主制御部１０１に転送する（Ｓ８０５）。主制御部１０１は、転送されてきた画像データを取得すると、その画像データを画像データ記憶部１０４に記憶させる（Ｓ８０６）。主制御部１０１は、画像データを記憶させると、その画像データに関する画像データ情報を新規に作成して、画像データ情報記憶部１０５に記憶させる（Ｓ８０７）。
【００９９】
このとき取得された画像データは、画像処理が実行される前の画像データである。従って、本実施形態に係る画像形成装置１は、この後、取得された画像データに対して画像処理を実行するため、画像形成出力に要する時間を短縮することはできない。但し、このとき、画像形成装置１は、機種毎に画像処理の態様が異なることにより、その画像データに基づく画像形成出力を実行することができないといったことがない。
【０１００】
そして、画像形成装置１は、画像データ情報を記憶させると、Ｓ５１４〜Ｓ５２１と同様の処理を行った後（Ｓ８０８〜Ｓ８１５）、Ｓ７０４〜Ｓ７０８と同様の処理を行う（Ｓ８１６〜Ｓ８２０）。
【０１０１】
本実施形態に係る画像形成装置１は、図８に示したような処理により、ファイル管理サーバ２に記憶されている画像データに基づいて画像形成出力を実行する。
【０１０２】
即ち、本実施形態に係る画像形成装置１は、ファイル管理サーバ２に記憶されている画像データに基づいて画像形成出力を実行する場合、その画像データに画像処理を施さなければならないため、画像形成出力に要する時間を短縮することはできない。但し、このとき、本実施形態に係る画像形成装置１は、機種毎に画像処理の態様が異なることにより、その画像データに基づく画像形成出力を実行することができないといったことを回避することが可能となる。
【０１０３】
次に、本実施形態に係る画像形成装置１が画像データ記憶部１０４に記憶されている画像データに基づいて画像形成出力を実行する際の処理について、図９を参照して説明する。図９は、本実施形態に係る画像形成装置１が画像データ記憶部１０４に記憶されている画像データに基づいて画像形成出力を実行する際の処理を説明するためのシーケンス図である。尚、図９においては、画像処理が実行され前の画像データに基づいて画像形成出力を実行する場合を例にして説明する。
【０１０４】
図９に示すように、本実施形態に係る画像形成装置１は、画像データ記憶部１０４に記憶されている画像データに基づいて画像形成出力を実行する際にはまず、Ｓ７０１〜Ｓ７０３と同様の処理を行う（Ｓ９０１〜Ｓ９０３）。
【０１０５】
主制御部１０１は、Ｓ７０３における判断処理において、画像処理済みの画像データ記憶されている判断した場合には、Ｓ５１４〜Ｓ５２１と同様の処理を行った後（Ｓ９０４〜Ｓ９１１）、Ｓ７０４〜Ｓ７０８と同様の処理を行う（Ｓ９１２〜Ｓ９１６）。
【０１０６】
本実施形態に係る画像形成装置１は、図９に示したような処理により、画像データ記憶部１０４に記憶されている画像処理が未実行の画像データに基づいて画像形成出力を実行する。
【符号の説明】
【０１０７】
１ａ、１ｂ、１ｃ  画像形成装置
２  ファイル管理サーバ
１０  ＣＰＵ
２０  ＲＡＭ
３０  ＲＯＭ
４０  ＨＤＤ
５０  Ｉ／Ｆ
６０  表示部
７０  操作部
８０  専用デバイス
９０  バス
１００  コントローラ
１０１  主制御部
１０２  エンジン制御部
１０３  画像処理部
１０４  画像データ記憶部
１０５  画像データ情報記憶部
１０６  操作表示制御部
１０７  入出力制御部
１１０  給紙テーブル
１２０  プリントエンジン
１３０  プリント用排紙トレイ
１４０  原稿台
１５０  ＡＤＦ
１６０  スキャナエンジン
１７０  原稿用排紙トレイ
１８０  ディスプレイパネル
１９０  ネットワークＩ／Ｆ
【先行技術文献】
【特許文献】
【０１０８】
【特許文献１】特開２００４−３１０３５７号公報
【特許文献２】特開２０１４−０４２０８９号公報
【図１】
2016046766.tif 000003
【図２】
2016046766.tif 000004
【図３】
2016046766.tif 000005
【図４】
2016046766.tif 000006
【図５】
2016046766.tif 000007
【図６】
2016046766.tif 000008
【図７】
2016046766.tif 000009
【図８】
2016046766.tif 000010
【図９】
2016046766.tif 000011